(57)【要約】【課題】ゴルフクラブヘッドの重心を前方へ調整でき、重心設計の自由度及び反発性能を向上させることができるゴルフクラブヘッドを提供することにある。【解決手段】本考案に係るゴルフクラブヘッドは、ヘッド本体１、及びヘッド本体１の前側に結合されたフェース部２を含み、フェース部２はフェース部本体２１と、フェース部本体２１の背側に結合される少なくとも一個のウェイト２２とを有し、かつ、ウェイト２２の比重はフェース部本体２１の比重と異なる。【選択図】図１
0003203309.tif 000002
【実用新案登録請求の範囲】
【請求項１】
ヘッド本体、及び前記ヘッド本体の前側に結合されるフェース部を含むゴルフクラブヘッドであって、
前記フェース部はフェース部本体と、該フェース部本体の背側に結合される少なくとも一個のウェイトとを有し、かつ前記ウェイトの比重がフェース部本体の比重と異なることを特徴とするゴルフクラブヘッド。
【請求項２】
前記ウェイトの比重がフェース部本体の比重より大きいことを特徴とする請求項１に記載のゴルフクラブヘッド。
【請求項３】
前記フェース部本体は打撃部を有し、該打撃部は下端縁に下曲がり部を有し、前記フェース部本体は下曲がり部にウェイトの数量に応じてホルダーが設置され、前記の少なくとも一個のウェイトは対応するホルダーに設置されることを特徴とする請求項１に記載のゴルフクラブヘッド。
【請求項４】
前記フェース部本体は打撃部を有し、該打撃部は上端縁に上曲がり部を有し、前記フェース部本体は上曲がり部にウェイトの数量に応じてホルダーが設置され、前記の少なくとも一個のウェイトは対応するホルダーに設置されることを特徴とする請求項１に記載のゴルフクラブヘッド。
【請求項５】
前記ウェイトの数量は複数個であり、前記フェース部本体は打撃部を有し、該打撃部は下端縁に下曲がり部を有し、前記打撃部は上端縁に上曲がり部を有し、前記フェース部本体は下曲がり部及び上曲がり部の両方に少なくとも一個のホルダーを設置し、該ホルダーの合計量はウェイトの数量に対応し、前記の複数個のウェイトは対応するホルダーに結合されることを特徴とする請求項１に記載のゴルフクラブヘッド。
【請求項６】
前記ホルダーは打撃部の背側に位置合わせされた収容溝を有し、前記ホルダーと打撃部の背側とが間隔を取って緩衝空間を形成し、前記ウェイトは収容溝に収容されてホルダーに安定的に結合されることを特徴とする請求項３〜５のいずれか一項に記載のゴルフクラブヘッド。
【請求項７】
前記ホルダーは鋳包みによりウェイトを結合することを特徴とする請求項６に記載のゴルフクラブヘッド。
【請求項８】
前記ホルダーは緩衝空間に背向する端部にて開口することを特徴とする請求項６に記載のゴルフクラブヘッド。
【請求項９】
前記ホルダーはフェース部本体の底部に最も近い端部にて開口することを特徴とする請求項８に記載のゴルフクラブヘッド。
【請求項１０】
前記ホルダーはフェース部本体の頂部に最も近い端部にて開口することを特徴とする請求項８に記載のゴルフクラブヘッド。
【請求項１１】
前記ホルダーはフェース部本体の底部に最も近い端部にて開口することを特徴とする請求項６に記載のゴルフクラブヘッド。
【請求項１２】
前記ホルダーはフェース部本体の頂部に最も近い端部にて開口することを特徴とする請求項６に記載のゴルフクラブヘッド。
【考案の詳細な説明】
【技術分野】
【０００１】
本考案は、球技用具に関し、特に、ゴルフクラブヘッド、及びウェイトを有するゴルフクラブヘッドのフェース部に係るものである。
【背景技術】
【０００２】
図１２は、従来のゴルフクラブヘッド９を示す。この従来のゴルフクラブヘッド９は、ヘッド本体９１及びヘッド本体９１の前側に結合されるフェース部９２を有する。
【考案の概要】
【考案が解決しようとする課題】
【０００３】
上記の従来のゴルフクラブヘッド９の重量は、ヘッド本体９１に集中しているため、全体の重心が後ろへ偏り、前方へ調整させることが難しく、かつ、フェース部９２の背側には支えが付加されていないため、フェース部９２は打撃の瞬間に、良好な反発性能を提供することが難しく、打球の飛距離及び弾道の高さが劣るものであった。
【０００４】
よって、従来のゴルフクラブヘッドには改善の必要がある。
【０００５】
本考案は、重心を前方へ調整でき、重心設計の自由度を向上させることができるゴルフクラブヘッドを提供することを目的とするものである。
【０００６】
また、本考案は、打撃の瞬間にフェース部に押し返す力を与え、反発性能を向上させることができるゴルフクラブヘッドを提供することを目的とするものである。
【課題を解決するための手段】
【０００７】
本考案によるゴルフクラブヘッドは、ヘッド本体、及び前記ヘッド本体の前側に結合されるフェース部を含む。前記フェース部はフェース部本体と、前記フェース部本体の背側に結合される少なくとも一個のウェイトとを有し、かつ前記ウェイトの比重が前記フェース部本体の比重と異なる。
【０００８】
前記ウェイトの比重はフェース部本体の比重より大きいことが好ましい。
【０００９】
前記フェース部本体は打撃部を有し、該打撃部は下端縁に下曲がり部を有し、かつ前記フェース部本体は前記下曲がり部にウェイトの数量に応じてホルダーが設置されてもよく、前記少なくとも一個のウェイトは対応するホルダーに設置される。
【００１０】
或いは、前記フェース部本体は打撃部を有し、該打撃部は上端縁に上曲がり部を有し、かつ前記フェース部本体は前記上曲がり部にウェイトの数量に応じてホルダーが設置されてもよく、前記少なくとも一個のウェイトは対応するホルダーに設置される。
【００１１】
或いはまた、前記ウェイトの数量は複数個であり、前記フェース部本体は打撃部を有し、該打撃部は下端縁に下曲がり部を有し、前記打撃部は上端縁に上曲がり部を有し、かつ前記フェース部本体は前記下曲がり部及び前記上曲がり部の両方ともに少なくとも一個のホルダーを設置し、前記ホルダーの合計量は前記ウェイトの数量に対応し、前記複数個のウェイトは対応するホルダーに結合される。
【００１２】
前記ホルダーは打撃部の背側に位置合わせされる収容溝を有し、前記ホルダーと打撃部の背側とが間隔を取って緩衝空間を形成し、前記ウェイトは前記収容溝に収容されてホルダーに安定に結合される。
【００１３】
前記ホルダーは鋳包み方式を選択して前記ウェイトを結合することができる。
【００１４】
前記ホルダーは前記緩衝空間に背向する端部にて開口することができ、または、前記ホルダーは前記フェース部本体の底部に最も近い端部にて開口することもでき、或いは、前記ホルダーは前記フェース部本体の頂部に最も近い端部にて開口することもできる。
【００１５】
本考案に係るゴルフクラブヘッドは、前記ホルダーがフェース部本体の底部に最も近い端部のみにて開口することができ、或いは、前記フェース部本体の頂部に最も近い端部のみにて開口することができる。
【考案の効果】
【００１６】
これにより、本考案のゴルフクラブヘッドは、フェース部の背側にウェイトを結合することにより、ゴルフクラブヘッド全体の重心を前方へ調整し、重心設計の自由度を向上させることができる。なお、前記ウェイトは打撃の瞬間にフェース部に押し返す力を与えることができ、反発性能を向上させて打球の飛距離及び弾道の高さを増加させ、打撃効果を向上させることができる。
【図面の簡単な説明】
【００１７】
【図１】図１は、本考案の第一実施例に係るゴルフクラブヘッドの側面の概略構造断面図である。
【図２】図２は、本考案の第一実施例のフェース部の概略構造背面図（一）である。
【図３】図３は、本考案の第一実施例においてフェース部本体によりウェイトを鋳包むフェース部の側面の概略構造断面図である。
【図４】図４は、本考案の第一実施例のフェース部の概略構造背面図（二）である。
【図５】図５は、図４のフェース部の側面の概略構造断面図である。
【図６】図６は、本考案の第一実施例のフェース部の概略構造背面図（三）である。
【図７】図７は、図６のフェース部の側面の概略構造断面図である。
【図８】図８は、本考案の第一実施例に係るもう一つのゴルフクラブヘッドの側面の概略構造断面図である。
【図９】図９は、本考案の第一実施例に係るさらにもう一つのゴルフクラブヘッドの側面の概略構造断面図である。
【図１０】図１０は、本考案の第二実施例に係るゴルフクラブヘッドの側面の概略構造断面図である。
【図１１】図１１は、本考案の第二実施例に係るもう一つのゴルフクラブヘッドの側面の概略構造断面図である。
【図１２】図１２は、従来のゴルフクラブヘッドの側面の概略構造断面図である。
【考案を実施するための形態】
【００１８】
本考案の実施の一形態について、以下、図面を参照して説明する。
【００１９】
本考案によるゴルフクラブヘッドの種類は限定されず、アイアンヘッドでもウッドヘッドでも良いであることを予め説明する。
【００２０】
本考案のゴルフクラブヘッドの第一実施例を図１及び図２に示す。本実施例のゴルフクラブヘッドは概してヘッド本体１及びフェース部２を含み、フェース部２はヘッド本体１の前側に結合される。
【００２１】
本実施例におけるゴルフクラブヘッドはアイアンヘッドであり、ヘッド本体１はトウ部、ソール部、ヒール部、ブレード部、バック部及びホーゼル部などの部分を有し、これらの部分の相対位置関係は当業者が容易に理解できるため、ここではその説明を省略する。また、ヘッド本体１における複数の部分は一体成形しても、別々に製造した後に接合しても良く、図面に開示される形態に限定されるものではない。
【００２２】
フェース部２はフェース部本体２１及び少なくとも一個のウェイト２２を有し、前記の少なくとも一個のウェイト２２はフェース部本体２１の背側に結合される。より詳細に述べると、フェース部本体２１の材質とヘッド本体１の材質とが同様であっても異なっても良く、フェース部本体２１はその側面の断面形態によってＣ字形カップ（Ｃ‐ＣＵＰ）又はＬ字形カップ（Ｌ‐ＣＵＰ）に分けることができる（本実施例の図面はＣ字形カップ形態を開示している）。すなわち、フェース部本体２１はシート状の打撃部２１１を有し、Ｃ字形カップ形態のフェース部本体２１について、打撃部２１１の上端縁は後ろへ曲がり、延伸して上曲がり部２１２を形成する。打撃部２１１の下端縁は後ろへ曲がり、延伸して下曲がり部２１３を形成する。上曲がり部２１２及び下曲がり部２１３の端部は互いに連結しても間隔を取っても良く、また、フェース部本体２１が力を受ける際の弾性を向上させるように、打撃部２１１と下曲がり部２１３とが連結する部分の板厚を薄くしても良い。
【００２３】
フェース部本体２１はウェイト２２の数量によって、上曲がり部２１２又は下曲がり部２１３或いは両方にウェイト２２の数量に対応するホルダー２１４を設置することができ、これにより、対応するウェイト２２を収容して結合する。なお、鋳造方式を選択してフェース部本体２１を成形すると共に、ホルダー２１４を成形することができ、また、鍛造方式を選択してフェース部本体２１を成形する際、ホルダー２１４は鍛造後に、例えばフライス加工により加工して成形することができる。
【００２４】
また、アイアンヘッドのヘッド本体１のブレード部の幅が狭いため、ホルダー２１４を下曲がり部２１３に設置することが好ましい。本実施例においては、ウェイト２２を一個のみ設置するため、フェース部本体２１の下曲がり部２１３にホルダー２１４を一個のみ設置する。ホルダー２１４は収容溝２１５を有し、収容溝２１５は打撃部２１１の背側に位置合わせされ、ホルダー２１４と打撃部２１１の背側とが間隔を取って緩衝空間Ｓを形成する。ホルダー２１４は、収容溝２１５の開口が緩衝空間Ｓに背向してウェイト２２を収容するように、緩衝空間Ｓに背向する端部において開口する。その他の変形例として、フェース部２の重量配分範囲を拡大させ、かつ均一にするように、フェース部本体２１の下曲がり部２１３に互いに間隔を取って複数個のホルダー２１４を設置し、それぞれにウェイト２２を収容することもできる。
【００２５】
ウェイト２２は板、スティック、ネジなどのウェイト機能を有するものであれば良く、ウェイト２２の比重とフェース部本体２１の比重とが異なり、ウェイト２２の比重がフェース部本体２１の比重より大きいことが好ましい。ウェイト２２は収容溝２１５に収容され、溶接、嵌め込み、接着、ネジによる固定などによりホルダー２１４に安定的に結合される。特に図３を参照すると、フェース部本体２１を鋳造する際、鋳包み方式を選択し、ホルダー２１４により直接ウェイト２２を包み込むこともでき（図３に示すように、ウェイト２２の一部を包み込んでも良く、ウェイト２２全体をホルダー２１４に包み込んでも良い）、これにより、ウェイト２２を安定的に収容溝２１５に収容し、ウェイト２２をホルダー２１４に結合する工程を省略することができ、プロセス効率の向上に役立つことができる。なお、図３は本考案のＬ字形カップ形態のフェース部本体２１を示す。
【００２６】
図１を再び参照すると、ウェイト２２が結合されているフェース部本体２１をヘッド本体１に組み立てる際、フェース部本体２１の上曲がり部２１２、下曲がり部２１３及びホルダー２１４はいずれもヘッド本体１の前側に当接することができ、さらに、例えば、溶接などによりフェース部本体２１及びヘッド本体１を結合して、ゴルフクラブヘッドの組み立てを完成する。
【００２７】
これにより、本考案のゴルフクラブヘッドは、フェース部２のフェース部本体２１の背側にウェイト２２を結合することにより、ゴルフクラブヘッド全体の重心を前方へ調整することができるため、重心設計の自由度を向上させることができる。なお、打撃の瞬間にフェース部２１が打撃部２１１より力を受けた後、打撃力は下曲がり部２１３及びホルダー２１４を通してウェイト２２に伝わり、これにより、ウェイト２２はフェース部本体２１に押し返す力を与えるため、フェース部本体２１の反発性能を向上させ、打球の飛距離及び弾道の高さを増加させ、優れた打撃効果を現出することができる。
【００２８】
本考案のゴルフクラブヘッド及びウェイトを結合していない従来のゴルフクラブヘッドの打撃効果試験の比較結果を表１に示す。なお、それぞれのゴルフクラブヘッドのロフト角は３２度であり、ライ角は６１度であり、フェース部におけるフェース部本体の材質は同様であり、かつ打撃部の厚さは２．３ｍｍである。
【００２９】
【表１】
0003203309.tif 000003
【００３０】
表１から分かるように、本考案のゴルフクラブヘッドは、打球の飛距離、球速、弾道の高さ及びＣＴ値のいずれにおいても向上しており、ウェイトを結合していない従来のゴルフクラブヘッドと比べ、本考案のゴルフクラブヘッドは優れた打撃効果を確実に提供することが証明された。
【００３１】
本考案のその他の実施形態において、フェース部本体２１のホルダー２１４は、図４、図５に示すように、緩衝空間Ｓに背向する端部、及びフェース部本体２１の底部に最も近い端部において開口し、収容溝２１５の開口範囲を拡大させる。また、図６、図７に示すように、ホルダー２１４において緩衝空間Ｓに背向する端部、及びフェース部本体２１の頂部に最も近い端部にて開口する。或いは、図８に示すように、ホルダー２１４においてフェース部本体２１の底部に最も近い端部にて開口する。若しくは、図９に示すように、ホルダー２１４においてフェース部本体２１の頂部に最も近い端部にて開口する。
【００３２】
さらに、各フェース部本体２１は、ウェイト２２を結合してからヘッド本体１に安定的に結合しても良い。また、溶接方式を選択してウェイト２２をホルダー２１４に結合する際、図１、図５、図８に示すフェース部２のビードは最外端に剥き出しにされているため、図１、図５、図８に示すフェース部２は、図７、図９に示すフェース部２に比べて、溶接の際に優れた利便性を有する。また、溶接方式を選択してフェイス板２とヘッド本体１とを結合する際、図１、図７、図８、図９に示すフェース部２は、材質が同じである上曲がり部２１２、下曲がり部２１３及びホルダー２１４によりヘッド本体１に溶接結合されることができ、一方、図５に示すフェース部２は材質が異なるフェース部本体２１及びウェイト２２を含むため、図１、図７、図８、図９に示すフェース部２は、図５に示すフェース部２に比べて、溶接の際に優れた利便性を有する。また、図１、図７、図９に示すフェース部２はヘッド本体１に結合された後、ウェイト２２が露出しないため、優れた外観を有する。
【００３３】
本考案の第二実施例によるゴルフクラブヘッドを図１０に示す。本実施例ではゴルフクラブヘッドをウッドヘッドとする。ゴルフクラブヘッドは概してヘッド本体３及びフェース部４を含み、フェース部４はヘッド本体３の前側に結合される。
【００３４】
ヘッド本体３はトウ部、ソール部、ヒール部、クラウン部、スカート部及びホーゼル部などの部分を有し、これらの部分間の相対位置関係は当業者が容易に理解できるため、ここではその説明を省略する。また、ヘッド本体３の複数の部分は一体成形しても、別々に製造してから接合しても良く、図面に開示される形態に限定されるものではない。
【００３５】
フェース部４はフェース部本体４１及び少なくとも一個のウェイト４２を有し、前記の少なくとも一個のウェイト４２はフェース部本体４１の背側に結合される。フェース部本体４１の材料とヘッド本体３の材料とは同じであっても異なっても良く、フェース部本体４１はその側面の断面形態によってＣ字形カップ又はＬ字形カップに分けることができる（本実施例の図面はＣ字形カップ形態を開示している）。フェース部本体４１と第一実施例に述べられたフェース部本体２１（図１参照）とは概して同様であるため、ここではその詳しい構造についての説明を省略する。また、図１０はウェイト４２を収容して結合するように、下曲がり部４１３にホルダー４１４が設置されることを示しているが、本実施例においてもホルダー４１４の設置形態は限定されるものではない。
【００３６】
ここで注目すべき点は、ウッドヘッドのヘッド本体３のクラウン部が十分な幅を有するため、本実施例ではさらに図１１に示すように、フェース部本体４１の上曲がり部４１２及び下曲がり部４１３の両方にホルダー４１４を設置することができ、これにより、対応するウェイト４２を収容して結合する。これにより、複数のウェイト４２がフェース部本体４１の上端及び下端に押し返す力を与えることができ、フェース部本体４１の反発性能をさらに向上させることができる。
【００３７】
上述したように、本考案のゴルフクラブヘッドは、フェース部のフェース部本体の背側にウェイトを結合することにより、ゴルフクラブヘッド全体の重心を前方へ調整し、重心設計の自由度を向上させることができる。また、ウェイトは打撃の瞬間にフェース部本体に押し返す力を与えるため、反発性能を向上させて、打球の飛距離及び弾道の高さを増加させ、優れた打撃効果を提供するという効果を達成し得る。
【００３８】
本考案は、その精神と必須の特徴事項から逸脱することなく他のやり方で実施することができる。従って、本明細書に記載した好ましい実施形態は例示的なものであり、本考案の範囲を限定するものではない。
【符号の説明】
【００３９】
１      ヘッド本体
２      フェース部
２１    フェース部本体
２１１  打撃部
２１２  上曲がり部
２１３  下曲がり部
２１４  ホルダー
２１５  収容溝
２２    ウェイト
３      ヘッド本体
４      フェース部
４１    フェース部本体
４１１  打撃部
４１２  上曲がり部
４１３  下曲がり部
４１４  ホルダー
４１５  収容溝
４２    ウェイト
９      ゴルフクラブヘッド
９１    ヘッド本体
９２    フェース部
Ｓ      緩衝空間
【図１】
0003203309.tif 000004
【図２】
0003203309.tif 000005
【図３】
0003203309.tif 000006
【図４】
0003203309.tif 000007
【図５】
0003203309.tif 000008
【図６】
0003203309.tif 000009
【図７】
0003203309.tif 000010
【図８】
0003203309.tif 000011
【図９】
0003203309.tif 000012
【図１０】
0003203309.tif 000013
【図１１】
0003203309.tif 000014
【図１２】
0003203309.tif 000015